(57)【要約】【課題】本発明は、半導体膜を有する強誘電性の粒状体からのマイナス電位の供給と、クッションリングから発生するマイナスイオンとにより効果を高めた美容ローラーを提供するものである。【解決手段】皮膚に接触する面に、強誘電体又は強誘電体を含む材料の表面にｎ型半導体膜がコーティングされ、その上にさらにｐ型半導体膜をコーティングされた粒状体を複数個備えた断面が正多角形の棒状のローラー部と、該ローラー部の一方の端部に装着され、該ローラー部を回動自在に支持してなる把持部とで構成された美容ローラーにおいて、前記ローラー部の皮膚接触面に穿設された粒状体装着孔に、表面にｎ型半導体、ｐ型半導体が積層コーティングされた前記粒状体と、その外周にイオン発生材の粉末を混入したクッションリングを装着してなる美容ローラーによる。【選択図】  図１
2012120633.tif 000002
【特許請求の範囲】
【請求項１】
皮膚に接触する平面部に、粒状体（４）を複数個備えた断面が正多角形の棒状のローラー部（２）と、該ローラー部（２）の一方側に装着され、該ローラー部（２）を回動自在に支持してなる把持部（３）とで構成された美容ローラー（１）において、
前記ローラー部（２）の皮膚接触面に穿設された粒状体装着孔（２ａ）に、前記粒状体（４）と、同粒状体の外周に囲周されたマイナスイオン発生材の粉末を混入させたクッションリング（５）を嵌装してなることを特徴とする美容ローラー。
【請求項２】
皮膚に接触する平面部に、粒状体（４）を複数個備えた断面が正多角形の棒状のローラー部（２）と、該ローラー部（２）の一方側に装着され、該ローラー部（２）を回動自在に支持してなる把持部（３）とで構成された美容ローラー（１）において、
前記ローラー部（２）の皮膚接触面に穿設された粒状体装着孔（２ａ）に、マイナスイオン発生材を含む粒状体（４）と、同粒状体の外周に囲周されたマイナスイオン発生材の粉末を混入させたクッションリング（５）を嵌装してなることを特徴とする美容ローラー。
【請求項３】
粒状体（４）が、強誘電体又は強誘電体を含む材料の表面にｎ型半導体膜がコーティングされ、その上にさらにｐ型半導体膜がコーティングされたもの、あるいは強誘導体の表面がｎ型半導体である場合はその表面にｐ型半導体をコーティングされたものであることを特徴とする請求項１又は２に記載の美容ローラー。
【請求項４】
前記ローラー部（２）の表面塗装材にマイナスイオン発生材料を混入し、ローラー部（２）の塗れか１項に記載の美容ローラー。
【請求項５】
前記クッションリング（５）がシリコンゴム製であることを特徴とする請求項１〜４のいずれか１項に記載の美容ローラー。
【請求項６】
前記ローラー部（２）が正六角形の断面の棒状をなし、その一面置きの３側面に前記粒状体（４）がそれぞれ複数個貼着され、かつローラー部（２）の先端面にも前記粒状体（４）が装着されてなることを特徴とする請求項１〜５のいずれか１項に記載の美容ローラー。
【請求項７】
前記ローラー部（２）の先端面に球体（８）が球体保持部（９）によって回動自在に装着されてなり、かつ同球体（８）又は球体保持部（９）、あるいは球体（８）及び球体保持部（９）がマイナスイオン発生材を含むものであることを特徴とする請求項１〜５のいずれか１項に記載の美容ローラー。
【請求項８】
前記把持部部（３）の端末面に球体（８）が回動自在に装着されてなり、かつ同球体（８）がマイナスイオン発生材を含むものであることを特徴とする請求項１〜５のいずれか１項に記載の美容ローラー。
【請求項９】
マイナスイオン発生材が、ゲルマニウム、トルマリン、ペグマタイト、サマルスキー石、ヘエルグソン石、トリウム石又はモナズ石からなる群から選択される１又は２以上であることを特徴とする請求項１〜７のいずれか１項に記載の美容ローラー。
【発明の詳細な説明】
【技術分野】
【０００１】
本発明は、皮膚に接触して回転し、表皮にマイナスイオンとｐ型半導体膜により発生するマイナス電位を供給して体内電位を正常に戻すことを特徴とする断面が正多角形の棒状のローラー部を備えた美容ローラーに関する。
【背景技術】
【０００２】
本発明者らは、前に「六角柱型のローラーの皮膚接触面に半導体を装着した半導体ビューティーフェースローラー」について意匠登録を受けた（意匠登録第１２２１９８０号）が、この半導体ビューティーフェースローラーは、ローラーの皮膚接触面に、特許第４１２９６０２号公報に開示された「強誘電体又は強誘電体を含む材料の表面にｎ型半導体膜をコーティングし、ｎ型半導体膜の上にｐ型半導体膜をさらにコーティングした強誘電体と半導体とからなる複合治療器」を装着したもので、皮膚の電位変化を受けて表皮にマイナスの電気のみを流し肩こりの治療や、筋肉、皮膚の活性化に効用を有するものであり、現在広く活用されている。
【先行技術文献】
【特許文献】
【０００３】
【特許文献１】特許第４１２９６０２号公報
【特許文献２】意匠登録第１２２１９８０号公報
【発明の概要】
【発明が解決しようとする課題】
【０００４】
本発明は、前記半導体ビューティーフェースローラーが有するマイナス電位の表皮への供給機能に加えて、前記ローラーにマイナスイオンの放出機能、あるいはローラーのマイナス電位による体内電位の正常化機能を持たせ、より高い美容効果をもたらす美容ローラーを提供しようとするものである。
【課題を解決するための手段】
【０００５】
本発明者は上記課題を下記の手段により解決した。
〔１〕  皮膚に接触する平面部に、粒状体（４）を複数個備えた断面が正多角形の棒状のローラー部（２）と、該ローラー部（２）の一方側に装着され、該ローラー部（２）を回動自在に支持してなる把持部（３）とで構成された美容ローラー（１）において、
前記ローラー部（２）の皮膚接触面に穿設された粒状体装着孔（２ａ）に、前記粒状体（４）と、同粒状体の外周に囲周されたマイナスイオン発生材の粉末を混入させたクッションリング（５）を嵌装してなることを特徴とする美容ローラー。
〔２〕  皮膚に接触する平面部に、粒状体（４）を複数個備えた断面が正多角形の棒状のローラー部（２）と、該ローラー部（２）の一方側に装着され、該ローラー部（２）を回動自在に支持してなる把持部（３）とで構成された美容ローラー（１）において、
前記ローラー部（２）の皮膚接触面に穿設された粒状体装着孔（２ａ）に、マイナスイオン発生材を含む粒状体（４）と、同粒状体の外周に囲周されたマイナスイオン発生材の粉末を混入させたクッションリング（５）を嵌装してなることを特徴とする美容ローラー。
〔３〕  粒状体（４）が、強誘電体又は強誘電体を含む材料の表面にｎ型半導体膜がコーティングされ、その上にさらにｐ型半導体膜がコーティングされたもの、あるいは強誘導体の表面がｎ型半導体である場合はその表面にｐ型半導体をコーティングされたものであることを特徴とする前記〔１〕又は〔２〕に記載の美容ローラー。
〔４〕  前記ローラー部（２）の表面塗装材にマイナスイオン発生材料を混入し、ローラー部（２）の塗装面（７）からもマイナスイオンを発生するよう構成されてなることを特徴とする前記〔１〕〜〔３〕のいずれか１項に記載の美容ローラー。
〔５〕  前記クッションリング（５）がシリコンゴム製であることを特徴とする前記〔１〕〜〔４〕のいずれか１項に記載の美容ローラー。
【０００６】
〔６〕  前記ローラー部（２）が正六角形の断面の棒状をなし、その一面置きの３側面に前記粒状体（４）がそれぞれ複数個貼着され、かつローラー部（２）の先端面にも前記粒状体（４）が装着されてなることを特徴とする前記〔１〕〜〔５〕のいずれか１項に記載の美容ローラー。
〔７〕  前記ローラー部（２）の先端面に球体（８）が球体保持部（９）によって回動自在に装着されてなり、かつ同球体（８）又は球体保持部（９）、あるいは球体（８）及び球体保持部（９）がマイナスイオン発生材を含むものであることを特徴とする前記〔１〕〜〔５〕のいずれか１項に記載の美容ローラー。
〔８〕  前記把持部部（３）の端末面に球体（８）が回動自在に装着されてなり、かつ同球体（８）がマイナスイオン発生材を含むものであることを特徴とする前記〔１〕〜〔５〕のいずれか１項に記載の美容ローラー。
〔９〕  マイナスイオン発生材が、ゲルマニウム、トルマリン、ペグマタイト、サマルスキー石、ヘエルグソン石、トリウム石又はモナズ石からなる群から選択される１又は２以上であることを特徴とする前記〔１〕〜〔７〕のいずれか１項に記載の美容ローラー。
【発明の効果】
【０００７】
本発明の美容ローラーによって下記の効果が発揮される。
〈１〉皮膚に接触する平面部に、粒状体を複数個備えた断面が正多角形の棒状のローラー部と、該ローラー部の一方側に装着され、該ローラー部を回動自在に支持してなる把持部とで構成された美容ローラーにおいて、
前記ローラー部の皮膚接触面に穿設された粒状体装着孔に、前記粒状体と、同粒状体の外周に囲周されたマイナスイオン発生材の粉末を混入させたクッションリングを嵌装してなるため、クッションリングから発生するマイナスイオンが皮膚細胞の新陳代謝をより活発にして健康な肌を維持でき、高い美容効果が期待できる。
【０００８】
〈２〉皮膚に接触する平面部に、粒状体を複数個備えた断面が正多角形の棒状のローラー部と、該ローラー部の一方側に装着され、該ローラー部を回動自在に支持してなる把持部とで構成された美容ローラーにおいて、
前記ローラー部の皮膚接触面に穿設された粒状体装着孔に、マイナスイオン発生材を含む粒状体と、同粒状体の外周に囲周されたマイナスイオン発生材の粉末を混入させたクッションリングを嵌装してなるため、マイナスイオン発生材を含む粒状体と、同粒状体の外周に囲周されたマイナスイオン発生材の粉末を混入させたクッションリングとから発生するマイナスイオンが皮膚細胞の新陳代謝をより活発にして健康な肌を維持でき、高い美容効果が期待できる。
【０００９】
〈３〉皮膚に接触する平面部に強誘電体又は強誘電体を含む材料の表面にｎ型半導体膜がコーティングされ、その上にさらにｐ型半導体膜がコーティングされた粒状体を複数個備えた断面が正多角形の棒状のローラー部と、該ローラー部の一方の端部に装着され、該ローラー部を回動自在に支持してなる把持部とで構成された美容ローラーにおいて、
前記ローラー部の皮膚接触面に穿設された粒状体装着孔に、表面にｎ型半導体、ｐ型半導体が積層コーティングされた前記粒状体とともに、その外周にイオン発生材の粉末を混入したクッションリングが嵌着されているため、半導体からの微弱なマイナスの電気とともにクッションリングから発生するマイナスイオンが細胞の新陳代謝をより活発にして健康な肌を維持でき、高い美容効果が期待できる。
【００１０】
〈４〉前記ローラー部の表面塗装材にマイナスイオン発生材料を混入し、ローラー部の塗装面からもマイナスイオンを発生するよう構成されているため、（半導体の微弱なマイナス電位の効果とともに）クッションリング及び表面塗装材から発生するマイナスイオンが皮膚細胞の新陳代謝をより活発にして健康な肌を維持することができ、美容効果が一層高まる。
〈５〉前記クッションリングがシリコンゴム製であるため、経年変化が極めて少なく、長期間使用してもその効果が失われることがない。
〈６〉前記ローラー部が正六角形の断面の棒状をなし、その一面置きの３側面に表面が半導体膜の粒状体をそれぞれ複数個貼着し、かつローラー部の先端に前記表面が半導体膜の粒状体を装着しているため、ローラー部を皮膚上で転がすだけでなくローラーの先端で皮膚面のツボを押圧することによっても皮膚細胞の新陳代謝を高めることができ、肩こりの解消や、皮膚の弛緩防止の効果をもたらす。
〈７〉前記ローラー部の先端面に球体が球体保持部によって回動自在に装着されてなり、かつ同球体又は球体保持部、あるいは球体及び球体保持部がマイナスイオン発生材を含むものであるので、、ローラー部を皮膚上で転がすだけでなくローラーの先端で皮膚面のツボを押圧することによっても皮膚細胞の新陳代謝を高めることができ、肩こりの解消や、皮膚の弛緩防止の効果をもたらす。
〈８〉前記把持部部（３）の端末面に球体が回動自在に装着されてなり、かつ同球体がマイナスイオン発生材を含むものであるので、ローラー部を皮膚上で転がすだけでなく把持部の端末部でで皮膚面のツボを押圧することによっても皮膚細胞の新陳代謝を高めることができ、肩こりの解消や、皮膚の弛緩防止の効果をもたらす。
〈９〉マイナスイオン発生材が、ゲルマニウム、トルマリン、ペグマタイト、サマルスキー石、ヘエルグソン石、トリウム石又はモナズ石からなる群から選択される１又は２以上であるため、マイナスイオンが多量に放出され、皮膚細胞の新陳代謝を極めて有効に高めることができ、肩こりの解消や、皮膚の弛緩防止の効果をもたらす。
【図面の簡単な説明】
【００１１】
【図１】本発明の美容ローラーの実施例１の外観斜視図
【図２】本発明の美容ローラーの実施例２の外観斜視図
【図３】本発明の美容ローラーの実施例３の外観斜視図
【図４】ローラー部における粒状体及びクッションリングの装着部の拡大断面図
【発明を実施するための形態】
【００１２】
本発明の美容ローラーを実施するための形態を実施例の図に基づいて説明する。
図１は本発明の美容ローラーの実施例１の外観斜視図、図２は本発明の美容ローラーの実施例２の外観斜視図、図３は本発明の美容ローラーの実施例３の外観斜視図、図４はローラー部における粒状体及びクッションリングの装着部の拡大断面図である。
図において１、１’、１”は美容ローラー、２はローラー部、２ａは粒状体装着孔、３は把持部、３’はロレット加工部、４は粒状体、５はクッションリング、６は接着剤層、７は塗装面、８は球体、９は球体保持部を示す。
【実施例１】
【００１３】
本発明実施例１の美容ローラー１は、図１に示すように、皮膚に接触する面に、酸化チタン等の強誘電体又は強誘電体を含む材料の表面にｎ型半導体膜がコーティングされ、その上にさらにｐ型半導体膜がコーティングされた粒状体４を複数個備えた断面が正多角形の棒状のローラー部２と、該ローラー部２の一方の端部に装着され、該ローラー部２を回動自在に支持してなる把持部３とで構成され、前記ローラー部２の皮膚接触面に穿設された粒状体装着孔２ａに、表面にｎ型半導体、ｐ型半導体が積層コーティングされた前記粒状体４と、その外周に例えばトルマリン、トリウム石、ペグマタイト等のマイナスイオン発生材の粉末を混入したシリコンゴム製のクッションリング５とが装着され、かつローラー部の先端にも前記表面が半導体膜の粒状体が装着されて形成されている。
通常人間の表皮は正常な状態ではマイナス−２０〜−３０ｍＶに、真皮は＋２０〜＋３０ｍＶに帯電されており、これが崩れることによって凝りや痛みなど肌の不調を引き起こすとされている（特許第４１８０１２５号公報明細書段落［０００２］参照）。すなわち、上記した肌の不調は体内電位の異常により引き起こされるといわれ、凝りや痛みを感じる不調のときは、表皮がプラスに帯電されている。
そこで、特許文献２の半導体ビューティーフェースローラでは、強誘電体の表面にまずｎ型半導体膜がコーティングされ、その上にｐ型半導体膜がコーティングされた粒状体４を装着しており、強誘電体に誘起されたマイナス電位は、表皮のプラス電位を正常なマイナス電位に戻す作用を行っている。すなわち表皮に生じる電位によって強誘電体に誘起されたマイナスの電位はｎ−ｐ積層を通って表皮に流れるが、プラスの電位は阻止されて表皮には流れないという粒状体の性質（特許第４１８０１２５号公報明細書段落［０００８］参照）を利用してマイナスの電位のみを表皮に供給させ、表皮に現れたプラスの電位を中和して表皮の電位を正常な状態に戻し、肌の不調を回復させる作用を行わせている。
【００１４】
本発明の美容ローラー１では、図３に示すように、前記ローラー部２に穿設された粒状体装着孔２ａに前記粒状体４とその外周にマイナスイオン発生材の粉末を混入したシリコンゴム製クッションリング５とを接着剤層６を介して装着し、前記粒状体４から供給されるマイナスの電気とともにクッションリングが発生するマイナスイオンによって表皮に現れたプラスの電荷を中和し、より効果的に肌の不調を回復させることによって美容効果を高めている。
また、前記ローラー部２の表面塗装材にマイナスイオン発生材の粉末を混入し、ローラー部２の塗装面７からもマイナスイオンを発生させられるようにすることが好ましい。
【００１５】
前記クッションリングには、長期の使用を考慮してシリコンゴム製のものを用いたが、シリコンゴムに限られるものではなく、例えばウレタン樹脂、ポリエステル樹脂、ＳＢＲ等、前記マイナスイオン発生材の粉末を混合可能な素材であればよい。
また、本発明の美容ローラー１を、図１に示した、ローラー部２が正六角形の断面の棒状をなし、その３側面に前記粒状体４がそれぞれ複数個（図面では３個）貼着され、かつローラー部２の先端に前記粒状体４が１個装着されてなるものとしたが、これは特許文献２の意匠登録第１２２１９８０号公報に開示の「半導体ビューティーフェースローラー」を基にしたためであり、これに限定されるものではない。ローラー部２の断面が正多角形の棒状であり、皮膚に触れる面に前記粒状体４とクッションリング５を複数個装着し、表皮にマイナスの電気とマイナスイオンとを供給できる形状のものであればよい。またローラー部２先端の粒状体４の外周に前記クッションリング５を嵌着させて装着するのも好ましい。
【実施例２】
【００１６】
本発明実施例２の美容ローラー１’は、図２に示すように、皮膚に接触する面に、酸化チタン等の強誘電体又は強誘電体を含む材料の表面にｎ型半導体膜がコーティングされ、その上にさらにｐ型半導体膜がコーティングされた粒状体４を複数個備えた断面が正多角形の棒状のローラー部２と、該ローラー部２の一方の端部に装着され、該ローラー部２を回動自在に支持してなる把持部３とで構成され、前記ローラー部２の皮膚接触面に穿設された粒状体装着孔２ａに、表面にｎ型半導体、ｐ型半導体が積層コーティングされた前記粒状体４と、その外周に例えばトルマリン、トリウム石、ペグマタイト等のマイナスイオン発生材の粉末を混入したシリコンゴム製のクッションリング５とが装着され、かつ前記ローラー部２の先端面に球体８が、球体保持部９によって脱落することなく、回動自在に装着されて形成されている。
前記球体８はマイナスイオン発生材で形成されたものであってよく、また球体保持部９がマイナスイオン発生材が混入された樹脂製であってよい。さらに球体８と球体保持部９とを異なった金属で形成し、両者の接触によって微弱電流の発生を可能にしておくことも好ましい。
なお、本実施例の美容ローラー１’の作用効果は、実施例１と同じであるので記載を省略する。
【実施例３】
【００１７】
本発明実施例３の美容ローラー１”は、図３に示すように、皮膚に接触する面に、酸化チタン等の強誘電体又は強誘電体を含む材料の表面にｎ型半導体膜がコーティングされ、その上にさらにｐ型半導体膜がコーティングされた粒状体４を複数個備えた断面が正多角形の棒状のローラー部２と、該ローラー部２の一方の端部に装着され、該ローラー部２を回動自在に支持してなる把持部３とで構成され、前記ローラー部２の皮膚接触面に穿設された粒状体装着孔２ａに、表面にｎ型半導体、ｐ型半導体が積層コーティングされた前記粒状体４と、その外周に例えばトルマリン、トリウム石、ペグマタイト等のマイナスイオン発生材の粉末を混入したシリコンゴム製のクッションリング５とが装着され、かつ前記把持部３の端末面に球体８が回動自在に装着されて形成されている。なお、前記球体８はマイナスイオン発生材で形成されたものであることが好ましい。
なお、本実施例の美容ローラー１”の作用効果は、実施例１と同じであるので記載を省略する。
【符号の説明】
【００１８】
１、１’、１”：美容ローラー
２：ローラー部
２ａ：粒状体装着孔
３：把持部
３’：ロレット加工部
４：粒状体
５：クッションリング
６：接着剤層
７：塗装面
８：球体
９：球体保持部
【図１】
2012120633.tif 000003
【図２】
2012120633.tif 000004
【図３】
2012120633.tif 000005
【図４】
2012120633.tif 000006